(57)【要約】【課題】リモコン装置の各種の操作用のボタンそれぞれの機能を従来技術のような２段階の操作を必要とせずに事前に確認することが可能であり、しかも実際の操作手順に沿って案内可能にする。【解決手段】リモコン装置に備えられた複数の操作ボタンの操作に応じて制御され、画像を表示するための画像データを出力してモニタの画面２０Ｓに表示する画像出力装置であり、複数の操作ボタンを含むリモコン装置の画像３０Ｉをモニタの画面２０Ｓに表示すると共に、リモコン装置の画像３０Ｉ中の複数の操作ボタンそれぞれの機能を表わす機能情報を予め記憶している。リモコン装置の画像３０Ｉを表示するためのデータと、予め記憶されているリモコン装置の複数の操作ボタンそれぞれの機能を説明するための案内文を各操作ボタンから漫画の吹出し状に文字情報で表示するための画像データとを合成してモニタの画面２０Ｓに表示する。【選択図】図６
2007208559.tif 000002
【特許請求の範囲】
【請求項１】
リモートコントロール装置に備えられた複数の操作ボタンの操作に応じて制御され、画像を表示するための画像データを表示装置へ出力する画像出力装置において、
前記複数の操作ボタンを含む前記リモートコントロール装置の全体又は一部を表わす画像を前記表示装置に表示するためのリモコン装置画像データを記憶した画像データ記憶手段と、
前記リモートコントロール装置の前記複数の操作ボタンそれぞれの機能を表わす機能情報を記憶した機能情報記憶手段と
を備え、
前記画像データ記憶手段が記憶している前記リモコン装置画像データと、前記機能情報記憶手段が記憶している前記リモートコントロール装置の前記複数の操作ボタンそれぞれの機能情報を各操作ボタンに連携した表示領域枠内に文字情報で表示するための画像データとを合成した画像データを出力して前記表示装置に表示させるようにしてあることを特徴とする画像出力装置。
【請求項２】
リモートコントロール装置に備えられた複数の操作ボタンの操作／非操作状態を受け付け、受け付けた操作ボタンの操作／非操作状態に応じて画像を表示するための画像データを表示装置へ出力する制御を行なう制御手段を備えた画像出力装置において、
前記複数の操作ボタンを含む前記リモートコントロール装置の全体又は一部を表わす画像を表示するためのリモコン装置画像データを記憶した画像データ記憶手段と、
前記リモートコントロール装置の複数の操作ボタンそれぞれの機能を表わす機能情報を記憶した機能情報記憶手段と、
該機能情報記憶手段が記憶している各機能情報を文字情報として、前記表示装置に表示された前記リモートコントロール装置の画像中の前記複数の操作ボタンの画像に連携した表示領域枠内にそれぞれ表示するための画像データを出力する画像データ出力手段と、
複数の画像データを合成する画像データ合成手段と
を備え、
前記制御手段は、
受け付けた操作ボタンの操作／非操作状態に応じて予め定められている各操作ボタンの機能情報を前記機能情報記憶手段から読み出し、
前記機能情報記憶手段から読み出した機能情報を文字情報として、前記表示装置に表示されている前記リモートコントロール装置の画像中の対応する操作ボタンの画像に連携した表示領域枠内に表示するための画像データを前記画像データ出力手段から出力させ、
前記画像データ記憶手段が記憶している前記リモコン装置画像データ及び前記画像データ出力手段が出力した画像データを前記画像データ合成手段に合成させた画像データを出力して前記表示装置に表示させるようにしてあること
を特徴とする画像出力装置。
【請求項３】
前記機能情報記憶手段は、前記リモートコントロール装置の操作ボタンの操作／非操作状態の反復により進められる操作手順の各段階に応じて、操作手順に沿って次に操作されるべき前記リモートコントロール装置の操作ボタンを特定する次操作ボタン情報及び該次操作ボタン情報で特定される操作ボタンの操作手順の各段階に応じた機能を表わす機能情報を記憶しており、
前記制御手段は、操作手順の各段階に応じた次操作ボタン情報及び機能情報を前記機能情報記憶手段から読み出し、前記表示装置に表示された前記リモートコントロール装置の画像中の前記機能情報記憶手段から読み出した次操作ボタン情報で特定される操作ボタンの画像に連携した表示領域枠内に、前記機能情報記憶手段から読み出した機能情報を文字情報として表示するための画像データを出力させるようにしてあること
を特徴とする請求項２に記載の画像出力装置。
【請求項４】
前記機能情報記憶手段は、操作手順の各段階に応じて、操作手順には拘わらず操作可能な前記リモートコントロール装置の操作ボタンを特定する操作可能ボタン情報及び該操作可能ボタン情報で特定される操作ボタンの操作手順の各段階に応じた機能を表わす機能情報を更に記憶しており、
前記制御手段は、操作手順の各段階に応じた次操作ボタン情報及び操作可能ボタン情報を前記機能情報記憶手段から読み出し、読み出した次操作ボタン情報及び操作可能ボタン情報のいずれでも特定されない前記リモートコントロール装置の操作ボタンが操作された場合は所定の警告を前記画像データ出力手段に出力させるようにしてあること
を特徴とする請求項３に記載の画像出力装置。
【請求項５】
前記画像データ出力手段は、次操作ボタン情報で特定される操作ボタンの機能情報を第１の表示状態で文字情報として、操作可能ボタン情報で特定される操作ボタンの機能情報を第２の表示状態で文字情報としてそれぞれ表示するための画像データを出力し、
前記制御手段は、
機能情報が前記第１の表示状態で文字情報として表示されている操作ボタンの画像に対応する前記リモートコントロール装置の操作ボタンが操作された場合は操作状態として受け付け、
機能情報が前記第２の表示状態で文字情報として表示されている操作ボタンの画像に対応する前記リモートコントロール装置の操作ボタンが操作された場合は、操作された操作ボタンに対応する機能情報の文字情報としての表示状態を前記第２の表示状態から前記第１の表示状態に前記画像データ出力手段に変更させ、
機能情報の文字情報としての表示状態が前記第２の表示状態から前記第１の表示状態に変更された操作ボタンの画像に対応する前記リモートコントロール装置の操作ボタンが操作された場合は、操作状態として受け付けるようにしてあること
を特徴とする請求項３に記載の画像出力装置。
【発明の詳細な説明】
【技術分野】
【０００１】
本発明はモニタ装置等の表示装置に画像を表示するために画像データを出力する画像出力装置に関し、特にリモートコントロール装置による操作が可能な画像出力装置に関する。
【背景技術】
【０００２】
近年、従来の磁気テープを使用するＶＴＲに代わって、ランダムアクセスが可能なハードディスク（ＨＤＤ），ＤＶＤ，ブルーレイディスク（ＢＤ）等を記録媒体として使用する動画像記録再生装置が急速に普及している。このような動画像記録再生装置は通常はＴＶチューナも備えており、ＴＶ番組の記録装置（録画装置）としての機能をも兼ね備えているので、一般的にはＴＶ放送の番組を動画像情報として記録媒体に記録し、再生することが可能な録画再生装置として利用されている。
【０００３】
また、上述のような装置は基本的には記録媒体としてＨＤＤを備え、更に記録媒体としてのＤＶＤ，ＢＤ等にも直接、またはＨＤＤからのダビングにより動画像情報を記録し、再生することが可能である場合が多い。即ち、ＨＤＤを記録媒体とする録画再生装置ではＨＤＤ以外にもＤＶＤ，ＢＤ等の記録媒体を備えており、これらの複数の記録媒体のいずれかから動画像情報を再生することが可能である。なお、ＤＶＤ，ＢＤ等の記録媒体は、通常は装置から取り外すことができないＨＤＤとは異なり、装置に対して自由に脱着可能である。
【０００４】
ところで、上述のような従来の装置ではユーザは、ＴＶ放送を視聴すること、ＴＶ放送の動画像情報を１又は複数の記録媒体に記録する、即ち番組を録画すること、１又は複数の記録媒体に記録されている動画像情報、即ち録画したＴＶ番組を再生して視聴すること、更には複数の記録媒体を備えている場合にはいずれかの記録媒体に記録されている動画像情報、即ち録画したＴＶ番組を他の記録媒体にダビングすること、等の操作が可能である。
【０００５】
磁気テープのカセットにＴＶ番組を録画する従来のいわゆるＶＴＲにおいても予約録画の方法がわからない等のような不満がユーザから寄せられていた実情を考慮すると、上述のような複数の記録媒体を備えている録画再生装置においてはユーザに対する操作方法に関する案内をより考慮する必要がある。
【０００６】
ところで、近年のパーソナルコンピュータの普及及び上述のような録画再生装置自体のデジタル化に伴って、従来の紙に印刷されたマニュアル（操作案内）に代わって画面上に種々の操作案内を表示することが可能になっている。たとえば特許文献１には、「ガイド機能付きテレビ受信機」として、ユーザがリモートコントロール装置の操作用のボタンを操作した際にそれに先立って所定のボタンを操作していた場合には、操作された操作用のボタンの機能が表示されるように構成した発明が開示されている。
【特許文献１】特開平０８−６５５８７号公報
【発明の開示】
【発明が解決しようとする課題】
【０００７】
上述した特許文献１が開示している従来技術では、リモートコントロール装置に備えられているある特定のボタンが操作された後に種々のボタンの内のユーザが機能を知りたい操作用のボタンが操作された場合にその操作用のボタンの機能が表示されるのみである。従って、ユーザは紙に印刷された分厚いマニュアルをその都度調べる必要はないが、前述のような２段階の操作を行なうことにより事前に各種の操作用のボタンの機能を確認した後に実際の操作を行なう必要がある。
【０００８】
本発明は以上のような事情に鑑みてなされたものであり、リモートコントロール装置の各種の操作用のボタンそれぞれの機能を特許文献１に記載の従来技術のような２段階の操作を必要とせずに事前に確認することが可能であり、しかも実際の操作手順に沿って案内可能な画像出力装置の提供を主たる目的とする。
【課題を解決するための手段】
【０００９】
上述のような課題を解決するために本発明は端的には、表示装置にリモートコントロール装置の画像を表示し、その画像中の種々の操作ボタンの画像に連携した表示領域枠内に、あたかも漫画の吹出し状にそれぞれの操作ボタンの機能を説明する案内文を表示する構成を採っている。また、それぞれの操作ボタンの機能は操作手順に沿った各操作段階において異なる場合があるので、同一の操作ボタンの案内文も各操作段階に対応して異なる内容が表示されることもあり得る。更に、ある操作段階においては次に操作されるべき操作ボタンはいくつかに限定されることが通常であるので、そのような次に操作されるべき操作ボタンにのみ案内文を表示することも可能である。
【００１０】
本発明に係る画像出力装置は、リモートコントロール装置に備えられた複数の操作ボタンの操作に応じて制御され、画像を表示するための画像データを表示装置へ出力する画像出力装置において、前記複数の操作ボタンを含む前記リモートコントロール装置の全体又は一部を表わす画像を前記表示装置に表示するためのリモコン装置画像データを記憶した画像データ記憶手段と、前記リモートコントロール装置の前記複数の操作ボタンそれぞれの機能を表わす機能情報を記憶した機能情報記憶手段とを備え、前記画像データ記憶手段が記憶している前記リモコン装置画像データと、前記機能情報記憶手段が記憶している前記リモートコントロール装置の前記複数の操作ボタンそれぞれの機能情報を各操作ボタンに連携した表示領域枠内に文字情報で表示するための画像データとを合成した画像データを出力して前記表示装置に表示させるようにしてあることを特徴とする。
【００１１】
このような本発明に係る画像出力装置では、画像データ記憶手段が記憶しているリモコン装置画像データと、機能情報記憶手段が記憶しているリモートコントロール装置の複数の操作ボタンそれぞれの機能情報を各操作ボタンに連携した表示領域枠内に文字情報で表示するための画像データとを合成した画像データが出力されて表示装置に表示される。
【００１２】
また本発明に係る画像出力装置は、リモートコントロール装置に備えられた複数の操作ボタンの操作／非操作状態を受け付け、受け付けた操作ボタンの操作／非操作状態に応じて画像を表示するための画像データを表示装置へ出力する制御を行なう制御手段を備えた画像出力装置において、前記複数の操作ボタンを含む前記リモートコントロール装置の全体又は一部を表わす画像を表示するためのリモコン装置画像データを記憶した画像データ記憶手段と、前記リモートコントロール装置の複数の操作ボタンそれぞれの機能を表わす機能情報を記憶した機能情報記憶手段と、該機能情報記憶手段が記憶している各機能情報を文字情報として、前記表示装置に表示された前記リモートコントロール装置の画像中の前記複数の操作ボタンの画像に連携した表示領域枠内にそれぞれ表示するための画像データを出力する画像データ出力手段と、複数の画像データを合成する画像データ合成手段とを備え、前記制御手段は、受け付けた操作ボタンの操作／非操作状態に応じて予め定められている各操作ボタンの機能情報を前記機能情報記憶手段から読み出し、前記機能情報記憶手段から読み出した機能情報を文字情報として、前記表示装置に表示されている前記リモートコントロール装置の画像中の対応する操作ボタンの画像に連携した表示領域枠内に表示するための画像データを前記画像データ出力手段から出力させ、前記画像データ記憶手段が記憶している前記リモコン装置画像データ及び前記画像データ出力手段が出力した画像データを前記画像データ合成手段に合成させた画像データを出力して前記表示装置に表示させるようにしてあることを特徴とする。
【００１３】
このような本発明に係る画像出力装置では、受け付けた操作ボタンの操作／非操作状態に応じて予め定められている各操作ボタンの機能情報が機能情報記憶手段から読み出され、機能情報記憶手段から読み出された機能情報を文字情報として、表示装置に表示されているリモートコントロール装置の画像中の対応する操作ボタンの画像に連携した表示領域枠内に表示するための画像データが画像データ出力手段から出力される。そして、画像データ記憶手段が記憶しているリモコン装置画像データと、画像データ出力手段が出力した画像データとが画像データ合成手段により合成された画像データが出力され、表示装置に表示される。
【００１４】
更に本発明に係る画像出力装置は上記の画像出力装置の発明において、前記機能情報記憶手段は、前記リモートコントロール装置の操作ボタンの操作／非操作状態の反復により進められる操作手順の各段階に応じて、操作手順に沿って次に操作されるべき前記リモートコントロール装置の操作ボタンを特定する次操作ボタン情報及び該次操作ボタン情報で特定される操作ボタンの操作手順の各段階に応じた機能を表わす機能情報を記憶しており、前記制御手段は、操作手順の各段階に応じた次操作ボタン情報及び機能情報を前記機能情報記憶手段から読み出し、前記表示装置に表示された前記リモートコントロール装置の画像中の前記機能情報記憶手段から読み出した次操作ボタン情報で特定される操作ボタンの画像に連携した表示領域枠内に、前記機能情報記憶手段から読み出した機能情報を文字情報として表示するための画像データを出力させるようにしてあることを特徴とする。
【００１５】
このような本発明に係る画像出力装置では上記の画像出力装置の発明において、操作手順の各段階に応じた次操作ボタン情報及び機能情報が機能情報記憶手段から読み出され、表示装置に表示されたリモートコントロール装置の画像中の機能情報記憶手段から読み出された次操作ボタン情報で特定される操作ボタンの画像に連携した表示領域枠内に、機能情報記憶手段から読み出した機能情報を文字情報として表示するための画像データが出力される。
【００１６】
更に本発明に係る画像出力装置は上記の画像出力装置の発明において、前記機能情報記憶手段は、操作手順の各段階に応じて、操作手順には拘わらず操作可能な前記リモートコントロール装置の操作ボタンを特定する操作可能ボタン情報及び該操作可能ボタン情報で特定される操作ボタンの操作手順の各段階に応じた機能を表わす機能情報を更に記憶しており、前記制御手段は、操作手順の各段階に応じた次操作ボタン情報及び操作可能ボタン情報を前記機能情報記憶手段から読み出し、読み出した次操作ボタン情報及び操作可能ボタン情報のいずれでも特定されない前記リモートコントロール装置の操作ボタンが操作された場合は所定の警告を前記画像データ出力手段に出力させるようにしてあることを特徴とする。
【００１７】
このような本発明に係る画像出力装置では上記の画像出力装置の発明において、操作手順の各段階に応じた次操作ボタン情報及び操作可能ボタン情報が機能情報記憶手段から読み出され、読み出された次操作ボタン情報及び操作可能ボタン情報のいずれでも特定されないリモートコントロール装置の操作ボタンが操作された場合は所定の警告が出力されて表示装置に表示される。
【００１８】
更に本発明に係る画像出力装置は上記の画像出力装置の発明において、前記画像データ出力手段は、次操作ボタン情報で特定される操作ボタンの機能情報を第１の表示状態で文字情報として、操作可能ボタン情報で特定される操作ボタンの機能情報を第２の表示状態で文字情報としてそれぞれ表示するための画像データを出力し、前記制御手段は、機能情報が前記第１の表示状態で文字情報として表示されている操作ボタンの画像に対応する前記リモートコントロール装置の操作ボタンが操作された場合は操作状態として受け付け、機能情報が前記第２の表示状態で文字情報として表示されている操作ボタンの画像に対応する前記リモートコントロール装置の操作ボタンが操作された場合は、操作された操作ボタンに対応する機能情報の文字情報としての表示状態を前記第２の表示状態から前記第１の表示状態に前記画像データ出力手段に変更させ、機能情報の文字情報としての表示状態が前記第２の表示状態から前記第１の表示状態に変更された操作ボタンの画像に対応する前記リモートコントロール装置の操作ボタンが操作された場合は、操作状態として受け付けるようにしてあることを特徴とする。
【００１９】
このような本発明に係る画像出力装置では上記の画像出力装置の発明において、機能情報が第１の表示状態で文字情報として表示されている操作ボタンの画像に対応するリモートコントロール装置の操作ボタンが操作された場合は操作状態として受け付けられ、機能情報が前記第２の表示状態で文字情報として表示されている操作ボタンの画像に対応するリモートコントロール装置の操作ボタンが操作された場合は、操作された操作ボタンに対応する機能情報の文字情報としての表示状態が第２の表示状態から第１の表示状態に変更される。そして、機能情報の文字情報としての表示状態が第２の表示状態から第１の表示状態に変更された操作ボタンの画像に対応するリモートコントロール装置の操作ボタンが操作された場合には、その操作ボタンの操作が操作状態として受け付けられる。
【発明の効果】
【００２０】
前述のような本発明に係る画像出力装置によれば、ＴＶ受像機、種々のタイプのビデオデッキ（録画再生装置）、更にはプロジェクタ等において、モニタ又はスクリーン等の表示装置にリモートコントロール装置の画像の全部又は一部が表示され、その画像中の各操作ボタンの機能が各操作ボタンに連携した表示領域枠内に、あたかも漫画の吹出し状に案内文として表示されるので、ユーザは分厚いマニュアルをその都度参照せずともリモートコントロール装置の使用法を容易に認識することが可能になる。従って、リモートコントロール装置の使い勝手が格段に向上する。
【００２１】
また本発明に係る画像出力装置によれば上記の画像出力装置の発明において、操作手順の各段階に応じて次に操作されるべき操作ボタンにのみに、その操作ボタンに連携した表示領域枠内にあたかも漫画の吹出し状に案内文が表示されるので、ユーザは画面に表示される案内文に従って操作ボタンを操作するのみにて所望の操作手順を実行することが可能になる。
【００２２】
また本発明に係る画像出力装置によれば上記の画像出力装置の発明において、操作手順の各段階で操作することが不可能な、または無意味な操作ボタンを操作した場合には所定の警告が表示されるので、操作手順を誤ったことが容易に理解可能になる。
【００２３】
また本発明に係る画像出力装置によれば上記の画像出力装置の発明において、操作手順の各段階で次に操作すべき操作ボタンに関してはたとえば画面の上層に案内文が表示されるので、そのような画面の上層に表示される案内文に従って操作手順を進めることが可能になる。また、操作手順の各段階で次に操作すべきではないが操作可能な操作ボタンの案内文はたとえば画面の下層に表示されるので、必要に応じて対応する操作ボタンを操作することによりその操作ボタンの説明文を上層に表示させた上で再度同一の操作ボタンを操作することによってその操作ボタンの操作を有効にすることが可能になる。従って、それまでの操作手順を中断して他の操作をユーザがしたい場合には、画面の下層に表示されている案内文を参照して所望の操作を行なうことが可能になる。
【発明を実施するための最良の形態】
【００２４】
以下、本発明に係る画像出力装置（本発明装置）について、その一実施の形態を図面を参照して詳細に説明する。なお、以下の実施の形態としては、本発明に係る画像出力装置を記録媒体としてハードディスク（ＨＤＤ），ＤＶＤ，ブルーレイディスク（ＢＤ）の３種類を備えたＴＶ放送の録画再生装置に適用した場合について説明する。しかし本発明装置は、モニタ，スクリーン等の表示装置に画像を表示することが可能な種々の装置、たとえば表示装置が本来的には備えられていない録画再生装置のみならず、ＤＶＤプレーヤ等の再生専用の装置、地上又は衛星デジタルＴＶ用，ケーブルＴＶ用等のセットボックス、プロジェクタ等にも適用可能であり、また表示装置を内蔵しているＴＶ受像機にも勿論適用可能である。
【００２５】
なお、以下に本発明装置である画像出力装置の一例として説明する録画再生装置では、記録媒体の組み合わせは上記以外の他の記録媒体の組み合わせでもよいことはいうまでもなく、また、３種類の記録媒体の組み合わせに限らず、２種類又は４種類以上の記録媒体を備えている場合にも本発明を適用することが可能であることもいうまでもない。
【００２６】
図１は本発明装置である画像出力装置を、一般的なＴＶ放送を録画し、再生することが可能な録画再生装置１として実現した場合の構成例を示すブロック図である。なお、この録画再生装置１は、予めファームウェア等の形でインストールされた制御プログラムに従って動作するシステム制御部１８により全体が制御される。
【００２７】
図１において、参照符号１１はアンテナ端子であり、図示しないＴＶ放送の受信用のアンテナ（地上アナログ，地上デジタル，ＢＳ，ＣＳ放送等の少なくとも一つを受信可能）に接続される。このアンテナ端子１１にはチューナ部１２が接続されている。チューナ部１２は本発明の画像出力装置である録画再生装置１の全体を制御するシステム制御部１８から与えられる指示に応じたチャンネルの電波からＴＶ信号（画像信号及び音声信号）を抽出して後述するグラフィックコントローラ１７と、第１，第２，第３エンコード部１３１，１３２，１３３とへ出力する。
【００２８】
第１エンコード部１３１はチューナ部１２から与えられたＴＶ信号（画像信号及び音声信号）を第１記録媒体１５１（本実施の形態ではＨＤＤとし、以下単にＨＤＤ１５１という）に記録するためのフォーマットのデータにエンコードして第１リード／ライト（Ｒ／Ｗ）制御部１４１へ出力する。また、第２エンコード部１３２はチューナ部１２から与えられたＴＶ信号（画像信号及び音声信号）を第２記録媒体１５２（本実施の形態ではＤＶＤとし、以下単にＤＶＤ１５２という）に記録するためのフォーマットのデータにエンコードして第２リード／ライト（Ｒ／Ｗ）制御部１４２へ出力する。また、第３エンコード部１３３はチューナ部１２から与えられたＴＶ信号（画像信号及び音声信号）を第３記録媒体１５３（本実施の形態ではＢＤとし、以下単にＢＤ１５３という）に記録するためのフォーマットのデータにエンコードして第３リード／ライト（Ｒ／Ｗ）制御部１４３へ出力する。
【００２９】
第１Ｒ／Ｗ制御部１４１は第１エンコード部１３１でエンコードされたデータをシステム制御部１８からライト命令（書込命令）が与えられている場合にＨＤＤ１５１に動画像情報として書き込み、最終的に一単位の動画像ファイルとして記録する。なお、以下においては動画像情報（動画像ファイル）は音声情報も含むものとする。また、第２Ｒ／Ｗ制御部１４２は第２エンコード部１３２でエンコードされたデータをシステム制御部１８からライト命令が与えられている場合にＤＶＤ１５２に動画像情報として書き込み、最終的に一単位の動画像ファイルとして記録する。更に、第３Ｒ／Ｗ制御部１４３は第３エンコード部１３３でエンコードされたデータをシステム制御部１８からライト命令が与えられている場合にＢＤ１５３に動画像情報として書き込み、最終的に一単位の動画像ファイルとして記録する。
【００３０】
なお、この種の装置では一つのＴＶ信号（一つのチャンネルの番組）は通常はＨＤＤ１５１，ＤＶＤ１５２，ＢＤ１５３の内のいずれか一つにのみ記録することが可能である。但し、チューナ部１２を複数備え、同一の記録媒体、たとえばＨＤＤ１５１（又はＤＶＤ１５２又はＢＤ１５３）に対して異なるチューナ部からの異なるＴＶ信号（異なるチャンネルの番組）を同時に記録することも、また異なるＴＶ信号それぞれを異なる記録媒体に記録することも可能な構成を採ることもできる。
【００３１】
上述のようにしてＨＤＤ１５１，ＤＶＤ１５２，ＢＤ１５３に記録された動画像ファイルはそれぞれが記録媒体に記録される際に適宜のタイトル情報（以下、単にタイトルという）、たとえば番組のタイトル（その他、チャンネル情報，放送日時等を含む場合もある）を文字情報で取得可能なデジタルＴＶ放送等では番組のタイトルの文字情報をタイトルとして、番組のタイトルを文字情報で取得できない場合はたとえば記録（録画）開始時刻（年月日時分秒）のデータをタイトルとして、それぞれ動画像ファイルに付属情報として含んでいる。なお、いずれかの記録媒体に既に記録されている動画像ファイルに対してユーザが適宜の操作により任意のタイトルを付与することも勿論可能である。また、付属情報としては上記の情報の他に、各動画像ファイルの記録が終了した時刻、各動画像ファイルが再生された場合の再生終了時刻等も含まれる。
【００３２】
従って、システム制御部１８からたとえばＨＤＤ１５１に記録されている動画像ファイルを特定するタイトルが第１Ｒ／Ｗ制御部１４１にリード命令（読出命令）と共に与えられることにより、そのタイトルで特定される動画像ファイルがＨＤＤ１５１から第１Ｒ／Ｗ制御部１４１により読み出されて第１デコード部１６１に与えられる。また、システム制御部１８からＤＶＤ１５２に記録されている動画像ファイルを特定するタイトルが第２Ｒ／Ｗ制御部１４２にリード命令と共に与えられることにより、そのタイトルで特定される動画像ファイルがＤＶＤ１５２から第２Ｒ／Ｗ制御部１４２により読み出されて第２デコード部１６２に与えられる。更に、システム制御部１８からＢＤ１５３に記録されている動画像ファイルを特定するタイトルが第３Ｒ／Ｗ制御部１４３にリード命令と共に与えられることにより、そのタイトルで特定される動画像ファイルがＢＤ１５３から第３Ｒ／Ｗ制御部１４３により読み出されて第３デコード部１６３に与えられる。
【００３３】
第１デコード部１６１はＨＤＤ１５１に記録するためのフォーマットにエンコードされていた動画像ファイルのデータをデジタルの画像データ及び音声データに復元してグラフィックコントローラ１７に与える。また、第２デコード部１６２はＤＶＤ１５２に記録するためのフォーマットにエンコードされていた動画像ファイルのデータをデジタルの画像データ及び音声データに復元してグラフィックコントローラ１７に与える。更に、第３デコード部１６３はＢＤ１５３に記録するためのフォーマットにエンコードされていた動画像ファイルのデータをデジタルの画像データ及び音声データに復元してグラフィックコントローラ１７に与える。なお、グラフィックコントローラ１７には前述したようにチューナ部１２からも直接ＴＶ信号が与えられている。
【００３４】
グラフィックコントローラ１７はシステム制御部１８から与えられる命令に従って、チューナ部１２，第１デコード部１６１，第２デコード部１６２，第３デコード部１６３から入力される画像データ及び音声データを選択的にモニタ２０へ出力してその画面２０Ｓに動画像を表示させる。なお、チューナ部１２から直接与えられるＴＶ信号がアナログ信号である場合は、グラフィックコントローラ１７においてデジタルの画像データ及び音声データに変換される。また、図１においては音声を再生するためのスピーカ等については公知の技術であるので省略している。更に、図１にはモニタ２０が接続されている構成を示しているが、モニタ２０は本来は本発明の画像出力装置である録画再生装置１には含まれておらず、たとえばＴＶ受像機のモニタ又は独立したモニタに接続されていればよく、更にはモニタに代えてプロジェクタに接続されていてもよい。
【００３５】
システム制御部１８にはリモートコントロール装置３０（以下、リモコン装置３０という）が無線接続されている。リモコン装置３０は後述するように複数の操作ボタン（キー）を備えており、それぞれの操作ボタンが操作された場合に、操作されたボタンに対応した赤外線信号を送出する。システム制御部１８は、リモコン装置３０が送出した赤外線信号を図示しない受光部で受信し、受信した信号に従った制御を行なう。なお、録画再生装置１には他に操作パネルが付属していることが一般的であり、リモコン装置３０と実質的に同等の機能を有する。
【００３６】
ところで、グラフィックコントローラ１７は上述したような４系統の信号（画像データ及び音声データ）を選択的にモニタ２０（及びスピーカ）へ出力する処理のみならず、システム制御部１８による制御に応じて、４系統の入力信号の内のモニタ２０へ出力される信号に対して詳細は後述するが、種々のＯＳＤ表示を行なう等の画像の加工処理が可能である。勿論、その際のシステム制御部１８による制御はリモコン装置３０から与えられるユーザの指示を反映していることはいうまでもない。また、グラフィックコントローラ１７にはＯＳＤ用データメモリ１７０が接続されている。このＯＳＤ用データメモリ１７０には、グラフィックコントローラ１７へ入力される信号、特に画像信号に対してグラフィックコントローラ１７が種々の加工を行なう際に必要な図形，文字フォント等のデータが予め記憶されている。特に本発明の画像出力装置である録画再生装置１では、リモコン装置３０の全体又は一部及びその各操作ボタンを模した画像を表示するためのＯＳＤ用データ（リモコン装置画像データ）及び各操作ボタンの機能の案内を表示するためのＯＳＤ用データがＯＳＤ用データメモリ１７０に格納されている。
【００３７】
図２は本発明装置のリモコン装置３０に備えられた各種のボタンの配置状態を示す模式図である。リモコン装置３０には、録画再生装置１の電源をオン／オフする電源ボタン３１，いずれかの記録媒体１５１，１５２，１５３に記録されている動画像ファイルを再生表示させるか又はＴＶ番組を表示させるための「見る」ボタン３２，いずれかの記録媒体１５１，１５２，１５３に動画像情報の記録、即ち動画ファイルを録画させるための「録る（とる）」ボタン３３，複数の記録媒体１５１，１５２，１５３間で動画ファイルのダビングを行なわせるための「ダビング」ボタン３４，モニタ２０の表示画面上で位置指定を行なうための十字キー３５（上移動キー３５Ｕ，下移動キー３５Ｄ，右移動キー３５Ｒ，左移動キー３５Ｌ），この十字キー３５によりモニタ２０の表示画面上で位置指定（選択）されているタイトル等の選択の決定を指示するための決定ボタン３６，操作途中で操作を取り消すための終了ボタン３７，操作途中で一つ前の操作状態に戻すための戻るボタン３８，及びデジタルＴＶ放送用の青，赤，緑，黄のカラーボタン３９が備えられた第１操作部と、いずれかの記録媒体１５１，１５２，１５３に記録されている動画ファイルの再生に関する操作のための第２操作部とで構成されている（以下の説明においては、操作ボタンという場合はキーをも含むものとする）。
【００３８】
なお、第２操作部には、動画ファイルの再生，早送り，早戻し，一時停止，停止を指示するための操作ボタン４２と、再生中の動画ファイルの再生位置をチャプタ単位で戻すための前ボタン４０及びチャプタ単位で進めるための次ボタン４１とが備えられている。なお、本実施の形態では、リモコン装置３０の内の第１操作部のみがモニタ２０に表示されるようにしている。しかし、リモコン装置３０の全体をモニタ２０に表示することも、必要に応じて異なる部分を表示することも可能である。
【００３９】
また更にシステム制御部１８には案内手順テーブル１９が接続されている。案内手順テーブル１９は具体的には、ユーザによるリモコン装置３０の操作に応じた各操作段階においてリモコン装置３０の複数の操作ボタンの内の次に操作されるべき操作ボタン及びその操作段階において操作可能な操作ボタンを特定する情報と、それぞれの操作ボタンがそれぞれの操作段階において操作された場合の機能をユーザに説明するための案内文の情報とが対応付けられて予め登録された記憶装置である。
【００４０】
ここで、次に操作されるべき操作ボタンとは、それぞれの操作段階において予め定められている操作手順の次の操作段階へ進むために操作されるべき操作ボタンであり、通常は複数が存在する。なお、以下においては、次に操作されるべき操作ボタンを次操作ボタンという。また、操作可能な操作ボタンとは次操作ボタン以外の操作ボタンの内のそれぞれの操作段階において予め定められている操作手順とは異なる他の操作段階へジャンプする機能を有する操作ボタンである。なお、以下においては、操作可能な操作ボタンを操作可能ボタンという。従って、このような操作ボタンが操作された場合には、それまで進められていた操作手順は中断されて無関係な状態に操作段階が移行することになる。更に、上述の次操作ボタン及び操作可能ボタンとは別に、リモコン装置３０の操作ボタンの内にはそれぞれの操作段階において操作されたとしても有意な機能を発揮しない操作ボタン（操作不可能ボタン）も存在することはいうまでもない。
【００４１】
図３は本発明装置の案内手順テーブル１９の登録内容の一例を示す模式図である。リモコン装置３０の操作ボタンには、それぞれの操作段階において次操作ボタンと操作可能ボタン、具体的にはユーザが操作することにより何らかの指示を与えることが可能な操作ボタンと、そうではない操作ボタン（操作不可能ボタン）とが存在する。なお、同一の操作ボタンであっても、それぞれの操作段階においては次操作ボタン，操作可能ボタン又は操作不可能ボタンになり得る。従って、案内手順テーブル１９には、各操作段階（たとえば、電源投入時、「見る」ボタン操作時等）に対応して、次操作ボタン及びそれぞれに対応する案内文と、操作可能ボタンとが対応付けられて予め登録されている。換言すれば、次操作ボタン及び操作可能ボタンの何れとしても登録されていない操作ボタンはそれぞれの操作段階における操作不可能ボタンである。
【００４２】
具体的な一例として、一つの操作段階である電源投入時に対応付けて、「見る」ボタン３２，「録る」ボタン３３，「ダビング」ボタン３４が次操作ボタンとしてそれぞれ案内文「見るものを選びます。」、「録画の設定をします。」、「ダビングの設定をします。」と共に登録されており、更に操作可能ボタンとして電源ボタン３１が案内手順テーブル１９に登録されている。
【００４３】
従って、電源投入時には、システム制御部１８は案内手順テーブル１９の登録内容を参照して、「見る」ボタン３２，「録る」ボタン３３，「ダビング」ボタン３４を次操作ボタンとして特定し、それぞれの操作ボタンに対応する案内文をそれぞれの操作ボタンの画像に連携した表示領域枠内にモニタ２０の画面２０ＳにＯＳＤ表示することができる。具体的には、案内文はそれぞれの操作ボタンの画像からあたかも漫画の吹出し状に表示される。また、これらの操作ボタンと操作可能ボタンとして登録されている電源ボタン３１以外の操作ボタンが操作された場合には、システム制御部１８は所定の警告表示の案内文（たとえば「操作できないボタンです。」等）を表示することができる。
【００４４】
次に、上述のような構成の本発明の画像出力装置である録画再生装置１の動作について、システム制御部１８による制御手順を示すフローチャート及びモニタ２０の画面２０Ｓに表示される画像を示す模式図を参照して以下に説明する。但し、図４及び図５のメインルーチンのフローチャートに示すように、本発明の画像出力装置である録画再生装置１の電源がオフ状態（ステップＳ１１でＮＯ）において電源ボタン３１が操作されて電源がオン状態になった場合は（ステップＳ１１でＹＥＳ）、本発明の画像出力装置である録画再生装置１の電源が前回オフされた時点で選択されていたＴＶ放送のチャンネルがそのまま選択されてモニタ２０に表示される（ステップＳ１２）。
【００４５】
そして、システム制御部１８はグラフィックコントローラ１７を制御して、モニタ２０の画面２０Ｓにリモコン装置３０の画像３０Ｉ（以下、リモコン装置画像３０Ｉという）をＯＳＤ表示させる（ステップＳ１３）。なおこの際、グラフィックコントローラ１７はリモコン装置画像３０ＩをＯＳＤ表示するために必要なデータを予め記憶しているＯＳＤ用データメモリ１７０から読み出し、モニタ２０へ出力されている画像データに合成した画像としてモニタ２０の画面２０ＳにＯＳＤ表示する（ステップＳ１３）。このようなＯＳＤ表示の技術そのものは従来公知である。
【００４６】
次に、システム制御部１８は、案内手順テーブル１９の登録内容を参照して、具体的には電源投入時に対応して登録されている内容を参照して、モニタ２０の画面２０Ｓに表示されたリモコン装置画像３０Ｉ中の「見る」ボタン３２の画像から漫画の吹出し状に案内文「見るものを選びます。」を、「録る」ボタン３３の画像から同「録画の設定をします。」を、「ダビング」ボタン３４の画像から同「ダビングの設定をします。」をそれぞれＯＳＤ表示する（ステップＳ１４，Ｓ１５，Ｓ１６）。
【００４７】
このように「見る」ボタン３２，「録る」ボタン３３，「ダビング」ボタン３４に対応する案内文がそれぞれの操作ボタンの画像から吹出し状にモニタ２０の画面２０ＳにＯＳＤ表示された状態を図６の模式図に示す。図６では、モニタ２０の画面２０ＳにＴＶ放送の画像が表示されており、その画像上に上述したように、リモコン装置画像３０Ｉと、「見る」ボタン３２，「録る」ボタン３３，「ダビング」ボタン３４に対応する案内文がリモコン装置画像３０Ｉ中のそれぞれの操作ボタンの画像から漫画の吹出し状にＯＳＤ表示されている。
【００４８】
このような状態において、システム制御部１８はリモコン装置３０の「見る」ボタン３２，「録る」ボタン３３，「ダビング」ボタン３４のいずれかが操作されたか否かを監視する（ステップＳ１７，Ｓ１８，Ｓ１９）。そして、システム制御部１８は、たとえば「見る」ボタン３２が操作された場合は（ステップＳ１７でＹＥＳ）、「見る」処理のサブルーチンを実行し（ステップＳ２０）、「録る」ボタン３３が操作された場合は（ステップＳ１８でＹＥＳ）、「録る」処理のサブルーチンを実行し（ステップＳ２１）、「ダビング」ボタン３４が操作された場合は（ステップＳ１９でＹＥＳ）、「ダビング」処理のサブルーチンを実行する（ステップＳ２２）。
【００４９】
図７、図８、図９及び図１０はシステム制御部１８による「見る」処理の手順を示すサブルーチンのフローチャートである。リモコン装置３０の「見る」ボタン３２が操作されて「見る」処理が開始されると、システム制御部１８はグラフィックコントローラ１７を制御して図１１に示すような「見る」画面を表示する。具体的には、「見る」画面では、モニタ２０の画面２０Ｓに「見る」ボタン３２が操作された時点の表示状態にＯＳＤ用データメモリ１７０が記憶しているＯＳＤ用データの内の「見る」画面用のデータである「見る」メニューバー２１及びリモコン装置画像３０Ｉが表示される（ステップＳ３０，Ｓ３１）。
【００５０】
そして、システム制御部１８は、案内手順テーブル１９の登録内容を参照して、具体的には「見る」ボタン３２が操作された時点に対応する操作可能ボタン及びそれらの操作ボタンのその時点に対応する案内文を読み出す。そしてシステム制御部１８は、案内手順テーブル１９から読み出した情報をグラフィックコントローラ１７に与えることにより、グラフィックコントローラ１７にＯＳＤ用データメモリ１７０から必要なデータを読み出させてモニタ２０の画面２０Ｓに表示させる。なお、案内手順テーブル１９から読み出される案内文はキャラクタデータであり、これに従ってＯＳＤ用データメモリ１７０からフォントデータが読み出されて案内文がモニタ２０の画面２０Ｓに実際にＯＳＤ表示される。
【００５１】
以上のような処理により、図１１の模式図に示されているように、リモコン装置画像３０Ｉ中の右移動キー３５Ｒと左移動キー３５Ｌの画像からは案内文「見たいものを選びます。」が、決定ボタン３６の画像からは案内文「放送中の番組を選びます。」がそれぞれ漫画の吹出し状にモニタ２０の画面２０ＳにＯＳＤ表示される（ステップＳ３２，Ｓ３３）。
【００５２】
このような案内文の表示により、ユーザは次にどの操作ボタンを操作すればよいのかを容易に認識することが可能になる。具体的には、ユーザはたとえばその時点でモニタ２５に表示されている、即ち放送中のＴＶ番組をそのまま見たいのであれば、リモコン装置３０の決定ボタン３６を操作すればよいことが容易に理解できる。このようにユーザが決定ボタン３６を操作した場合（ステップＳ３４でＹＥＳ）、システム制御部１８はモニタ２０の画面２０ＳにＯＳＤ表示されている「見る」メニューバー２１及びリモコン装置画像３０Ｉを消去し（ステップＳ３５）、メインルーチンへ処理を戻す。
【００５３】
一方、ユーザがその時点でモニタ２５に表示されている、即ち放送中のＴＶ番組以外の番組、たとえば他のチャンネルで放送中の番組又は各記録媒体１５１，１５２，１５３に既に録画済みの番組を見たいのであれば、リモコン装置３０の右移動キー３５Ｒ又は左移動キー３５Ｌを操作すればよいことがユーザには容易に理解できる。そして、ユーザが右移動キー３５Ｒ又は左移動キー３５Ｌを操作した場合（ステップＳ３４でＮＯ、Ｓ３６でＹＥＳ）、システム制御部１８はたとえば右移動キー３５Ｒ又は左移動キー３５Ｌの操作回数をカウントし、所定時間以上にわたって右移動キー３５Ｒ又は左移動キー３５Ｌが操作されないくなった時点でのカウント数に応じて「ＴＶ」、「番組表」、「ＨＤＤ」、「ＤＶＤ」、「ＢＤ」のいずれが選択されたかを判断する。
【００５４】
「番組表」が選択された場合（ステップＳ３７でＹＥＳ）、システム制御部１８は、モニタ２０の画面２０Ｓに既に表示されている「見る」メニューバー２１中の「番組表」のマークを強調表示する（ステップＳ３８）。そして、次にシステム制御部１８は、「番組表」のマークが強調表示されている状態における決定ボタン３６の機能の案内文を特定する案内情報を案内手順テーブル１９から読み出してグラフィックコントローラ１７に与えることにより、図１１に示されている案内文「放送中の番組を選びます。」に代えて案内文「番組表から見たい番組を選びます。」を決定ボタン３６の画像から吹出し状にＯＳＤ表示する（ステップＳ３９）。
【００５５】
この後、システム制御部１８は決定ボタン３６が操作されるか、又は再度右移動キー３５Ｒ又は左移動キー３５Ｌが操作されるまで待機する（ステップＳ４０及びＳ３６でＮＯ）。そして、決定ボタン３６が操作された場合は（ステップＳ４０でＹＥＳ）、システム制御部１８は「番組表」処理を実行し（ステップＳ４１）、その後にメインルーチンへリターンする。
【００５６】
「ＨＤＤ」が選択された場合（ステップＳ３７でＮＯ，Ｓ４２でＹＥＳ）、システム制御部１８は、「見る」メニューバー２１中の「ＨＤＤ」のマークを強調表示する（ステップＳ４３）。そして、次にシステム制御部１８は、「ＨＤＤ」のマークが強調表示されている状態における決定ボタン３６の機能の案内文を特定する案内情報を案内手順テーブル１９から読み出してグラフィックコントローラ１７に与えることにより、図１１に示されている案内文「放送中の番組を選びます。」に代えて案内文「ＨＤＤに録画されている番組を再生します。」を決定ボタン３６の画像から吹出し状にＯＳＤ表示する（ステップＳ４４）。
【００５７】
この後、システム制御部１８は決定ボタン３６が操作されるか、又は再度右移動キー３５Ｒ又は左移動キー３５Ｌが操作されるまで待機する（ステップＳ４５及びＳ３６でＮＯ）。そして、決定ボタン３６が操作された場合は（ステップＳ４５でＹＥＳ）、システム制御部１８は「ＨＤＤ再生」処理を実行し（ステップＳ４６）、その後にメインルーチンへリターンする。
【００５８】
「ＤＶＤ」が選択された場合（ステップＳ４２でＮＯ，Ｓ４７でＹＥＳ）、システム制御部１８は、「見る」メニューバー２１中の「ＤＶＤ」のマークを強調表示する（ステップＳ４８）。そして、次にシステム制御部１８は、「ＤＶＤ」のマークが強調表示されている状態における決定ボタン３６の機能の案内文を特定する案内情報を案内手順テーブル１９から読み出してグラフィックコントローラ１７に与えることにより、図１１に示されている案内文「放送中の番組を選びます。」に代えて案内文「ＤＶＤに録画されている番組を再生します。」を決定ボタン３６の画像から吹出し状にＯＳＤ表示する（ステップＳ４９）。
【００５９】
この後、システム制御部１８は決定ボタン３６が操作されるか、又は再度右移動キー３５Ｒ又は左移動キー３５Ｌが操作されるまで待機する（ステップＳ５０及びＳ３６でＮＯ）。そして、決定ボタン３６が操作された場合は（ステップＳ５０でＹＥＳ）、システム制御部１８は「ＤＶＤ再生」処理を実行し（ステップＳ５１）、その後にメインルーチンへリターンする。
【００６０】
「ＢＤ」が選択された場合（ステップＳ４７でＮＯ，Ｓ５２でＹＥＳ）、システム制御部１８は、「見る」メニューバー２１中の「ＢＤ」のマークを強調表示する（ステップＳ５３）。そして、次にシステム制御部１８は、「ＢＤ」のマークが強調表示されている状態における決定ボタン３６の機能の案内文を特定する案内情報を案内手順テーブル１９から読み出してグラフィックコントローラ１７に与えることにより、図１１に示されている案内文「放送中の番組を選びます。」に代えて案内文「ＢＤに録画されている番組を再生します。」を決定ボタン３６の画像から吹出し状にＯＳＤ表示する（ステップＳ５４）。
【００６１】
この後、システム制御部１８は決定ボタン３６が操作されるか、又は再度右移動キー３５Ｒ又は左移動キー３５Ｌが操作されるまで待機する（ステップＳ５５及びＳ３６でＮＯ）。そして、決定ボタン３６が操作された場合は（ステップＳ５５でＹＥＳ）、システム制御部１８は「ＢＤ再生」処理を実行し（ステップＳ５６）、その後にメインルーチンへリターンする。
【００６２】
以上のように、ユーザはモニタ２０の画面２０ＳにＯＳＤ表示されているリモコン装置画像３０Ｉの決定ボタン３６の位置から吹出し状に表示される案内文に従って、見たい番組、即ち放送中の番組、他のチャンネルの番組、各記録媒体１５１，１５２，１５３に録画済みの番組を選択して見ることが可能になる。
【００６３】
なお、上述の「見る」処理が開始された時点においては、次操作ボタンは右移動キー３５Ｒ、左移動キー３５Ｌ、決定ボタン３６のみであるが、操作可能ボタンは「見る」ボタン３２，「録る」ボタン３３，「ダビング」ボタン３４及び電源ボタン３１である。従って、これらの操作可能ボタンが操作された場合は（ステップＳ５７でＹＥＳ，Ｓ５８でＹＥＳ）、システム制御部１８は操作された操作ボタンに対応した処理を実行し（ステップＳ６０）、メインルーチンへリターンする。一方、次操作ボタンでも操作可能ボタンでもない操作ボタンが操作された場合は（ステップＳ５７でＹＥＳ，Ｓ５８でＮＯ）、システム制御部１８は案内文「操作できないボタンです。」をその操作ボタンの画像から吹出し状にＯＳＤ表示し（ステップＳ５９）、ステップＳ３４へ処理を戻して再度いずれかの操作ボタンが操作されるまで待機する。
【００６４】
次に、上述の「番組表」処理について、具体的に説明する。図１２及び図１３は「番組表」処理の際のシステム制御部１８による処理手順を示すフローチャートである。
【００６５】
「番組表」処理が開始されると、システム制御部１８はまず図１４の模式図に示すように、内蔵タイマを参照して現在時刻以降の電子番組表２２をモニタ２０の画面２０ＳにＯＳＤ表示する（ステップＳ６１）。なお、電子番組表の取得方法及びそのモニタ２０へのＯＳＤ表示処理そのものについては公知であるので、詳細は省略する。なお、「見る」メニューバー２１及びリモコン装置画像３０Ｉはモニタ２０の画面２０ＳにＯＳＤ表示されたままであるが、図１１に示したモニタ２０の画面２０Ｓとは異なり、「見る」メニューバー２１の「番組表」のマークが強調表示される。
【００６６】
次にシステム制御部１８は前述同様に案内手順テーブル１９の登録内容を参照して、次操作ボタンを特定し、それらの操作ボタンであるリモコン装置画像３０Ｉ中の十字キー３５（上移動キー３５Ｕ，下移動キー３５Ｄ，右移動キー３５Ｒ，左移動キー３５Ｌ）の画像から案内文「見たい番組を選びます。」を（ステップＳ６２）、決定ボタン３６の画像から案内文「この番組を視聴します。」を（ステップＳ６３）、青，赤，緑，黄のカラーボタン３９の画像からそれぞれ案内文「番組表を拡大して表示します。」、同「番組表を縮小して表示します。」、同「ジャンルを指定して番組を探します。」、同「日時を指定して番組を探します。」をモニタ２０の画面２０Ｓに漫画の吹出し状にＯＳＤ表示する（ステップＳ６４，Ｓ６５，Ｓ６６，Ｓ６７）。
【００６７】
そしてシステム制御部１８はいずれかの操作ボタンが操作されたか否かを監視し、上述のようにして案内文が吹出し状にＯＳＤ表示された操作ボタンが操作された場合は（ステップＳ６８でＹＥＳ）、操作された操作ボタンに対応する処理を実行する（ステップＳ６９）。このステップＳ６９での処理は、操作された操作ボタンにより指示される処理そのものと、その処理結果に応じた次の操作段階での操作可能ボタンを対象とした上述同様の案内文の表示の処理（勿論、案内手順テーブル１９の登録内容が参照される）とが含まれる。
【００６８】
案内文が表示されていない操作ボタンが操作された場合（ステップＳ６８でＮＯ）、システム制御部１８は、操作された操作ボタンがその時点で操作可能ボタンであるか否かを案内手順テーブル１９の登録内容を参照して判断する（ステップＳ７０）。案内文は表示されていないが操作可能ボタンが操作された場合は（ステップＳ７０でＹＥＳ）、システム制御部１８は操作された操作ボタンにその操作段階で対応する処理を実行する（ステップＳ７１）。たとえば図１４に示す例において、リモコン装置画像３０Ｉ中の「見る」ボタン３２の画像からは案内文は表示されていないが、この「見る」ボタン３２が操作された場合には、システム制御部１８は先のステップＳ１３において「見る」ボタン３２が操作された場合と同様の状態へ処理を移行させる。
【００６９】
一方、操作不可能ボタンが操作された場合は（ステップＳ７０でＮＯ）、システム制御部１８は、モニタ２０の画面２０Ｓにたとえば案内文「操作できないボタンです。」等のような警告をＯＳＤ表示し（ステップＳ７２）、ステップＳ６８へ処理を戻して次にいずれかの操作ボタンが操作されるまで待機する。
【００７０】
図１５及び図１６は前述の「ＨＤＤ再生」処理の際のシステム制御部１８による処理手順を示すフローチャートである。
【００７１】
「ＨＤＤ再生」処理が開始されると、システム制御部１８はまず図１７の模式図に示すように、ＨＤＤ１５１に既に録画されている番組（動画ファイル）のたとえばタイトルのリスト（録画リスト）２３をモニタ２０の画面２０ＳにＯＳＤ表示する（ステップＳ８１）。なお、ＨＤＤ１５１に録画済みの番組（記録済みの動画ファイル）の再生表示の処理そのものについては公知であるので、詳細は省略する。但し、「見る」メニューバー２１及びリモコン装置画像３０Ｉはモニタ２０の画面２０ＳにＯＳＤ表示されたままであるが、図１１及び図１４に示したモニタ２０の画面２０Ｓとは異なり、「見る」メニューバー２１の「ＨＤＤ」のマークが強調表示される。
【００７２】
次にシステム制御部１８は前述同様に案内手順テーブル１９の登録内容を参照して、次操作ボタンを特定し、それらの操作ボタンであるリモコン装置画像３０Ｉ中の十字キー３５（上移動キー３５Ｕ，下移動キー３５Ｄ，右移動キー３５Ｒ，左移動キー３５Ｌ）の画像から案内文「再生したい番組を選びます。」を（ステップＳ８２）、決定ボタン３６の画像から案内文「この番組を再生します。」を（ステップＳ８３）、青，赤，緑，黄のカラーボタン３９の画像からそれぞれ案内文「リストを拡大して表示します。」、同「リストを縮小して表示します。」、同「ジャンルを指定して番組を探します。」、同「日時を指定して番組を探します。」をモニタ２０の画面２０Ｓに前述同様に漫画の吹出し状にＯＳＤ表示する（ステップＳ８４，Ｓ８５，Ｓ８６，Ｓ８７）。
【００７３】
そしてシステム制御部１８はいずれかの操作ボタンが操作されたか否かを監視し、上述のようにして案内文が吹出し状にＯＳＤ表示された操作ボタンが操作された場合は（ステップＳ８８でＹＥＳ）、操作された操作ボタンに対応する処理を実行する（ステップＳ８９）。このステップＳ８９での処理は、操作された操作ボタンにより指示される処理そのものと、その処理結果に応じた次の操作段階での操作可能ボタンを対象とした上述同様の案内文の表示の処理（勿論、案内手順テーブル１９の登録内容が参照される）とが含まれる。
【００７４】
案内文が表示されていない操作ボタンが操作された場合（ステップＳ８８でＮＯ）、システム制御部１８は、操作された操作ボタンがその時点で操作可能ボタンであるか否かを案内手順テーブル１９の登録内容を参照して判断する（ステップＳ９０）。案内文は表示されていないが操作可能ボタンが操作された場合は（ステップＳ９０でＹＥＳ）、システム制御部１８は操作された操作ボタンにその操作段階で対応する処理を実行する（ステップＳ９１）。たとえば図１７に示す例において、リモコン装置画像３０Ｉ中の「録る」ボタン３３の画像からは案内文は表示されていないが、この「録る」ボタン３３が操作された場合には、システム制御部１８は先のステップＳ１４において「録る」ボタン３３が操作された場合と同様の状態へ処理を移行させる。
【００７５】
一方、操作不可能ボタンが操作された場合は（ステップＳ９０でＮＯ）、システム制御部１８は、モニタ２０の画面２０Ｓにたとえば案内文「操作できないボタンです。」等のような警告をＯＳＤ表示し（ステップＳ９２）、ステップＳ８８へ処理を戻して次にいずれかの操作ボタンが操作されるまで待機する。
【００７６】
なお、「ＤＶＤ再生」処理及び「ＢＤ再生」処理に関しては、処理対象の記録媒体が異なる、即ち「ＨＤＤ再生」処理の場合はＨＤＤ１５１になり、「ＤＶＤ再生」処理の場合はＤＶＤ１５２になり、「ＢＤ再生」処理の場合はＢＤ１５３になる以外は上述した「ＨＤＤ」処理の場合と同様であるので、詳細は省略する。
【００７７】
更に、本発明の画像出力装置である録画再生装置１の「録る」処理及び「ダビング」処理に関しては操作手順そのものは従来のこの種の装置と同様であり、異なる点はそれぞれの操作段階においてリモコン装置画像３０Ｉ中の次操作ボタンの画像から吹出し状の案内文がモニタ２０の画面２０ＳにＯＳＤ表示される点である。
【００７８】
ところで、上述の実施の形態では、それぞれの操作段階において次操作ボタンにのみ吹出し状に案内文がＯＳＤ表示されるように構成されている。しかし前述したように、それぞれの操作段階においては案内文が表示されている操作ボタン、即ち次操作ボタン以外にも操作可能ボタンが存在する。そのような操作可能ボタンには案内文は表示されないが、ユーザはそれらの操作ボタンについてもそれぞれの操作段階においてどのような機能を有しているのかを知りたい場合がある。そのようなユーザの要望に応えるために、それぞれの操作段階において次操作ボタン以外の操作ボタンにも吹出し状の案内文をＯＳＤ表示させることが可能である。以下にそのような場合の実施の形態について説明する。
【００７９】
図１８及び図１９はモニタ２０の画面２０Ｓに表示されたリモコン装置画像３０Ｉ中の各操作ボタンの画像から吹出し状に表示される案内文の表示状態の一例を示す模式図である。この例では、図１８に示すように、リモコン装置画像３０Ｉ中の複数の操作ボタンの内の上端部寄りに位置する所定数の操作ボタンの画像から吹出し状に案内文がＯＳＤ表示されている。具体的には、図１８に示す例では、電源ボタン３１，「見る」ボタン３２，「録る」ボタン３３，「ダビング」ボタン３４，十字キー３５，決定ボタン３６が所定の操作ボタンとしてそれぞれの画像３１Ｉ，３２Ｉ，３３Ｉ，３４Ｉ，３４Ｉ，３６Ｉから吹出し状に案内文がＯＳＤ表示されている。しかし他の操作ボタン、具体的には終了ボタン３７，戻るボタン３８，カラーボタン３９の画像３７Ｉ，３８Ｉ，３９Ｉに関しては案内文「ボタンを押すと機能が表示されます。」がＯＳＤ表示されているのみであり、個々の操作ボタンに関する個別の案内文は表示されていない。
【００８０】
このような表示状態において、個々の案内文が表示されていない操作ボタンが操作された場合、たとえば戻るボタン３８が操作された場合、図１９の模式図に示すように、操作された操作ボタン（この場合は戻るボタン３８）の画像から吹出し状に案内文「一つ前の状態に戻します。」がＯＳＤ表示される。従って、ユーザは個々の案内文が表示されていない操作ボタンに関してもその操作ボタンを押す操作を行なうことにより、その操作ボタンに関する案内文を見ることが可能になる。なおこのようにして案内文が表示された状態でユーザがリモコン装置３０に対して何等の操作も行なわない場合には、所定時間経過後に図１８に示す状態に自動的に表示状態が戻される。また、案内文が吹出し状に表示された操作ボタンをユーザが所定時間内に再度操作した場合には、その操作ボタンの操作が有効になり、システム制御部１８が対応する処理を実行する。
【００８１】
即ち、案内文が表示されていない操作ボタンに関しては、一度目の操作によって案内文が表示され、案内文が表示されている間に二度目の操作を行なうことによってその操作ボタンの操作が有効になる。
【００８２】
図２０及び図２１は上述のような案内文の表示のためのシステム制御部１８による制御手順を示すフローチャートである。初期表示状態として、システム制御部１８はリモコン装置画像３０Ｉ中の所定の操作ボタン（たとえば上述した電源ボタン３１，「見る」ボタン３２，「録る」ボタン３３，「ダビング」ボタン３４，十字キー３５，決定ボタン３６）それぞれの画像から案内文を吹出し状にモニタ２０の画面２０Ｓに図１８に示すようにＯＳＤ表示する（ステップＳ１０１）。またシステム制御部１８は、リモコン装置画像３０Ｉの所定の操作ボタン以外の操作ボタン（たとえば上述した終了ボタン３７，戻るボタン３８，カラーボタン３９）の画像から吹出し状に案内文「ボタンを押すと機能が表示されます。」をモニタ２０の画面２０ＳにＯＳＤ表示する（ステップＳ１０２）。
【００８３】
この後、システム制御部１８はリモコン装置３０のいずれかの操作ボタンが操作されたか否かを監視する状態になり（ステップＳ１０３でＮＯ）、いずれかの操作ボタンが操作された場合はそれが所定の操作ボタンであるか否かを判断する（ステップＳ１０４）。操作された操作ボタンが所定の操作ボタンである場合は（ステップＳ１０４でＹＥＳ）、システム制御部１８は操作された操作ボタンに対応する処理を実行する（ステップＳ１０５）。この後、システム制御部１８はステップＳ１０１へ処理を戻して、モニタ２０の画面２０Ｓの表示状態を図１８に示す初期表示状態にする。
【００８４】
一方、リモコン装置３０の所定の操作ボタン以外の操作ボタンが操作された場合は（ステップＳ１０４でＮＯ）、システム制御部１８は、操作された操作ボタンの画像から吹出し状に案内文をモニタ２０の画面２０ＳにＯＳＤ表示する（ステップＳ１０６）。なおこの際、それまで表示されていた案内文「ボタンを押すと機能が表示されます。」は消去される。従って、たとえばリモコン装置３０の戻るボタン３８が操作された場合には、図１８の模式図に示すように、それまで表示されていた案内文「ボタンを押すと機能が表示されます。」に代えて戻るボタン３８の画像３８Ｉから吹出し状に案内文「一つ前の状態に戻します。」がＯＳＤ表示される。
【００８５】
上述のようにして案内文が表示された後、システム制御部１８はその操作ボタンが操作されたか、または他の操作ボタンが操作されたか、更には所定時間が経過したか否かを監視する状態になる（ステップＳ１０７，Ｓ１０９及びＳ１１０でＮＯ）。案内文が表示された操作ボタンが操作された場合は（ステップＳ１０７でＹＥＳ）、システム制御部１８は操作された操作ボタンに対応する処理を実行する（ステップＳ１０８）。この後、システム制御部１８はステップＳ１０１へ処理を戻して、モニタ２０の画面２０Ｓの表示状態を図１８に示す初期表示状態にする。
【００８６】
一方、案内文が表示された操作ボタン以外の他の操作ボタンが操作された場合は（ステップＳ１０７でＮＯ，Ｓ１０９でＹＥＳ）、システム制御部１８は、ステップＳ１０４へ処理を戻す。この場合、所定の操作ボタンが操作されたのであれば（ステップＳ１０４でＹＥＳ）、システム制御部１８は前述同様に操作された操作ボタンに対応する処理を実行し（ステップＳ１０５）、その後にステップＳ１０１へ処理を戻してモニタ２０の画面２０Ｓの表示状態を初期表示状態にする。
【００８７】
しかし、案内文が表示された操作ボタンでもなく、所定の操作ボタンでもない操作ボタンが操作された場合は（ステップＳ１０４でＮＯ）、システム制御部１８は新たに操作された操作ボタンの画像から吹出し状に案内文をモニタ２０の画面２０ＳにＯＳＤ表示する（ステップＳ１０６）。この場合の以降の処理は上述同様である。
【００８８】
更に、いずれの操作ボタンも操作されずに所定時間が経過した場合は（ステップＳ１０９でＮＯ，Ｓ１１０でＹＥＳ）、システム制御部１８は処理をステップＳ１０１へ戻す。従ってこの場合、モニタ２０の画面２０Ｓの表示状態は図１８に示す初期表示状態になる。
【００８９】
以上のように、初期表示状態において案内文が表示されている操作ボタン（所定の操作ボタン）が操作された場合はその操作ボタンに対応する処理が直ちに実行される。また、初期表示状態において案内文が表示されていない操作ボタン（所定の操作ボタン以外の操作ボタン）が操作された場合はその操作ボタンの画像から吹出し状に案内文が表示され、その操作ボタンが所定時間内に再度操作された場合はその操作ボタンに対応する処理が直ちに実行される。更に、初期表示状態において案内文が表示されていない操作ボタン（所定の操作ボタン以外の操作ボタン）の画像から吹出し状に案内文が表示された状態において、案内文が表示された操作ボタンでもなく、所定の操作ボタンでもない操作ボタンが操作された場合は、操作された操作ボタンの画像から新たに案内文が吹出し状に表示される。この操作ボタンが所定時間内に再度操作された場合にはその操作ボタンに対応する処理が実行されることは上述同様である。また更に、初期表示状態において案内文が表示されていない操作ボタン（所定の操作ボタン以外の操作ボタン）の画像から吹出し状に案内文が表示された状態において、所定時間内にいずれの操作ボタンも操作されない場合は初期表示状態に戻される。
【００９０】
従って、ユーザは初期表示状態において案内文が表示されていない操作ボタンであってもその操作ボタンを一度操作することによってその操作ボタンの画像から吹出し状に案内文を表示させ、その操作ボタンを再度操作することによりその操作ボタンに対応する処理を実行させることが可能になる。
【００９１】
上述の例ではリモコン装置３０に備えられている操作ボタンの全てに関して案内文を表示するようにしているが、それぞれの操作段階において次操作ボタンと操作可能ボタンとをユーザが容易に認識可能な状態で表示するような構成も可能である。たとえば、前述の図１４に示したモニタ２０の画面２０Ｓの表示状態において、次操作ボタンは十字キー３５，決定ボタン３６，カラーボタン３９であるが、操作可能ボタンとしては電源ボタン３１，「見る」ボタン３２，「録る」ボタン３３，「ダビング」ボタン３４，終了ボタン３７，戻るボタン３８がある。従ってこの場合、次操作ボタンである十字キー３５，決定ボタン３６，カラーボタン３９に関する案内文を、操作可能ボタンである電源ボタン３１，「見る」ボタン３２，「録る」ボタン３３，「ダビング」ボタン３４，終了ボタン３７，戻るボタン３８に関する案内文に比してその内容をユーザにより認識し易いようにそれぞれの操作ボタンの画像から吹出し状にモニタ２０の画面２０ＳにＯＳＤ表示する。
【００９２】
たとえば、前述の図１７に示したモニタ２０の画面２０Ｓにおいては、次操作ボタンは十字キー３５，決定ボタン３６，カラーボタン３９であるので、図２２の模式図に示すように、それぞれの操作ボタンの画像３５Ｉ，３６Ｉ，３９Ｉから吹出し状に案内文がモニタ２０の画面２０Ｓにおいて上層にＯＳＤ表示される（図２２においては上層表示を実線にて示している）。また、操作可能ボタンは電源ボタン３１，「見る」ボタン３２，「録る」ボタン３３，「ダビング」ボタン３４，終了ボタン３７，戻るボタン３８であるので、図２２の模式図に示すように、それぞれの操作ボタンの画像３１Ｉ，３２Ｉ，３３Ｉ，３４Ｉ，３７Ｉ，３８Ｉから吹出し状に案内文がモニタ２０の画面２０Ｓにおいて下層にＯＳＤ表示される（図２２においては下層表示を破線にて示している）。なお、表示位置が重複する案内文に関しては、下層の案内文に重複して上層の案内文が表示されている。
【００９３】
このような表示状態において、案内文が下層表示されている操作ボタンが操作された場合、たとえば戻るボタン３８が操作された場合、図２３の模式図に示すように、操作された操作ボタン（この場合は戻るボタン３８）に関する案内文「一つ前の状態に戻します。」がモニタ２０の画面２０Ｓにおいて上層に表示され、それまで上層に表示されていたカラーボタン３９に関する案内文が下層に表示される。なお、図２３に示す例では、操作された戻るボタン３８と同一グループに属する終了ボタン３７に関する案内文も戻るボタン３８に関する案内文と同時に上層に表示されている。
【００９４】
従って、ユーザは個々の案内文が下層に表示されている操作ボタンに関してもその操作ボタンを押す操作を行なうことにより、その操作ボタンに関する案内文を上層に表示させてその内容を容易に認識することが可能になる。なおこのようにして案内文が上層に表示された状態でユーザがリモコン装置３０に対して何等の操作も行なわない場合には、所定時間経過後に図２２に示す状態に自動的に表示状態が戻される。また、案内文が上層に表示された操作ボタンをユーザが所定時間内に再度操作した場合には、その操作ボタンの操作が有効になり、システム制御部１８が対応する処理を実行する。
【００９５】
図２４及び図２５は上述のような案内文の表示のためのシステム制御部１８による制御手順を示すフローチャートである。初期表示状態として、システム制御部１８はその時点の操作段階において次操作ボタン（この場合は十字キー３５，決定ボタン３６，カラーボタン３９）を案内手順テーブル１９の登録内容を参照して特定し、図２２に示すように、リモコン装置画像３０Ｉ中のそれぞれの画像から吹出し状にそれぞれの案内文をモニタ２０の画面２０Ｓにおいて上層にＯＳＤ表示する（ステップＳ１２１）。またシステム制御部１８はその時点の操作段階における操作可能ボタン（この場合は電源ボタン３１，「見る」ボタン３２，「録る」ボタン３３，「ダビング」ボタン３４，終了ボタン３７，戻るボタン３８）を案内手順テーブル１９の登録内容を参照して特定し、図２２に示すように、リモコン装置画像３０Ｉ中のそれぞれの画像から吹出し状にそれぞれの案内文をモニタ２０の画面２０Ｓにおいて下層にＯＳＤ表示する（ステップＳ１２２）。
【００９６】
この後、システム制御部１８はリモコン装置３０のいずれかの操作ボタンが操作されたか否かを監視する状態になり（ステップＳ１２３でＮＯ）、いずれかの操作ボタンが操作された場合は（ステップＳ１２３でＹＥＳ）それが次操作ボタンであるか否かを判断する（ステップＳ１２４）。操作された操作ボタンが次操作ボタンである場合は（ステップＳ１２４でＹＥＳ）、システム制御部１８は操作された操作ボタンに対応する処理を実行する（ステップＳ１２５）。この後、システム制御部１８はステップＳ１２１へ処理を戻して、モニタ２０の画面２０Ｓの表示状態を図２２に示す初期表示状態にする。
【００９７】
一方、リモコン装置３０の操作可能ボタンが操作された場合は（ステップＳ１２４でＮＯ）、システム制御部１８は、それまで下層に表示されていた操作された操作ボタンに関する案内文をモニタ２０の画面２０Ｓにおいて上層にＯＳＤ表示する（ステップＳ１２６）。従って、たとえばリモコン装置３０の戻るボタン３８が操作された場合には、図２３の模式図に示すように、それまで下層に表示されていた案内文「一つ前の状態に戻します。」が上層にＯＳＤ表示される。なおこの際、戻るボタン３８と同一グループに属する終了ボタン３７に関する案内文「これまでの操作を元に戻します。」も上層に表示される。また同時に、それまで上層に表示されていたカラーボタン３９に関する案内文は下層に表示される。
【００９８】
上述のようにして、それまで下層に表示されていた案内文が上層に表示された後、システム制御部１８はその案内文に対応する操作ボタンが操作されたか、または他の操作ボタンが操作されたか、更には所定時間が経過したか否かを監視する状態になる（ステップＳ１２７，Ｓ１２９及びＳ１３０でＮＯ）。案内文が上層に表示された操作ボタンが操作された場合は（ステップＳ１２７でＹＥＳ）、システム制御部１８は操作された操作ボタンに対応する処理を実行する（ステップＳ１２８）。この後、システム制御部１８はステップＳ１２１へ処理を戻して、モニタ２０の画面２０Ｓの表示状態を図２２に示す初期表示状態にする。
【００９９】
一方、案内文が上層に表示された操作ボタン以外の他の操作ボタンが操作された場合は（ステップＳ１２７でＮＯ，Ｓ１２９でＹＥＳ）、システム制御部１８は、ステップＳ１２４へ処理を戻す。この場合、次操作ボタンが操作されたのであれば（ステップＳ１２４でＹＥＳ）、システム制御部１８は前述同様に操作された操作ボタンに対応する処理を実行し（ステップＳ１２５）、その後にステップＳ１２１へ処理を戻してモニタ２０の画面２０Ｓの表示状態を初期表示状態にする。
【０１００】
しかし、案内文が表示された操作ボタン以外の操作可能ボタンが操作された場合は（ステップＳ１２４でＮＯ）、システム制御部１８はそれまで下層に表示されていた新たに操作された操作ボタンに関する案内文をモニタ２０の画面２０Ｓにおいて上層にＯＳＤ表示する（ステップＳ１２６）。この場合の以降の処理は上述同様である。たとえば、前述したように、戻るボタン３８が操作されて対応する案内文がモニタ２０の画面２０Ｓにおいて下層から上層に表示された後に「録る」ボタン３３が操作されたとすると、「録る」ボタン３３の画像３３Ｉに関するそれまでは下層に表示されていた案内文「録画の設定をします。」が上層に表示される。この場合も、「録る」ボタン３３と同一グループに属する「見る」ボタン３２，「ダビング」ボタン３４の画像３２Ｉ，３４Ｉに関するそれまでは下層に表示されていた案内文「見るものを選びます。」及び「ダビングの設定をします。」が上層に表示される。
【０１０１】
更に、いずれの操作ボタンも操作されずに所定時間が経過した場合は（ステップＳ１２９でＮＯ，Ｓ１３０でＹＥＳ）、システム制御部１８は処理をステップＳ１２１へ戻す。従ってこの場合、モニタ２０の画面２０Ｓの表示状態は図２２に示す初期表示状態になる。
【０１０２】
以上のように、初期表示状態において案内文が上層に表示されている操作ボタン（次操作ボタン）が操作された場合はその操作ボタンに対応する処理が直ちに実行される。また、初期表示状態において案内文が下層に表示されている操作ボタン（操作可能ボタン）が操作された場合はその操作ボタンから吹出し状にそれまで下層に表示されていた案内文が上層に表示され、その操作ボタンが所定時間内に再度操作された場合はその操作ボタンに対応する処理が直ちに実行される。更に、初期表示状態において案内文が下層に表示されている操作ボタン（操作可能ボタン）の案内文が上層に表示された状態において、まだ下層に表示されている操作ボタンが操作された場合は、操作された操作ボタンに関するそれまで下層に表示されていた案内文が上層に表示される。このようにして案内文が上層に表示された操作ボタンが所定時間内に再度操作された場合にはその操作ボタンに対応する処理が実行されることは上述同様である。また更に、初期表示状態において案内文が下層に表示されている操作ボタン（操作可能ボタン）に関する案内文が上層に表示された状態において、所定時間内にいずれの操作ボタンも操作されない場合は初期表示状態に戻される。
【０１０３】
従って、ユーザは初期表示状態において案内文が下層に表示されていてその内容が認識し難い操作ボタンであってもその操作ボタンを一度操作することによってその操作ボタンに関する案内文を上層に表示させ、その操作ボタンを再度操作することによってその操作ボタンに対応する処理を実行させることが可能になる。
【０１０４】
以上に詳述したように本発明に係る画像出力装置によれば、ＴＶ受像機、種々のタイプのビデオデッキ（録画再生装置）、更にはプロジェクタ等において、モニタ又はスクリーン等の表示装置にリモートコントロール装置（リモコン装置）の画像の全部又は一部が表示されると共にその画像中の各操作ボタンの機能が案内文として各操作ボタンに連携した表示領域枠内に、あたかも漫画の吹出し状に表示されるので、ユーザは分厚いマニュアルをその都度参照せずともリモートコントロール装置の使用法を容易に認識することが可能になる等、リモートコントロール装置の使い勝手を格段に向上させた画像出力装置が実現される。
【図面の簡単な説明】
【０１０５】
【図１】本発明装置である画像出力装置を録画再生装置として実現した場合の構成例を示すブロック図である。
【図２】本発明装置のリモコン装置に備えられた各種の操作ボタンの配置状態を示す模式図である。
【図３】本発明装置の案内手順テーブルの登録内容の一例を示す模式図である。
【図４】本発明装置の動作を説明するためのフローチャートである。
【図５】本発明装置の動作を説明するためのフローチャートである。
【図６】本発明装置による表示装置への画面の表示状態を示す模式図である。
【図７】本発明装置の動作を説明するためのフローチャートである。
【図８】本発明装置の動作を説明するためのフローチャートである。
【図９】本発明装置による表示装置への画面の表示状態を示す模式図である。
【図１０】本発明装置の動作を説明するためのフローチャートである。
【図１１】本発明装置による表示装置への画面の表示状態を示す模式図である。
【図１２】本発明装置の動作を説明するためのフローチャートである。
【図１３】本発明装置の動作を説明するためのフローチャートである。
【図１４】本発明装置による表示装置への画面の表示状態を示す模式図である。
【図１５】本発明装置の動作を説明するためのフローチャートである。
【図１６】本発明装置の動作を説明するためのフローチャートである。
【図１７】本発明装置による表示装置への画面の表示状態を示す模式図である。
【図１８】本発明装置による表示装置への画面の表示状態を示す模式図である。
【図１９】本発明装置による表示装置への画面の表示状態を示す模式図である。
【図２０】本発明装置の動作を説明するためのフローチャートである。
【図２１】本発明装置の動作を説明するためのフローチャートである。
【図２２】本発明装置による表示装置への画面の表示状態を示す模式図である。
【図２３】本発明装置による表示装置への画面の表示状態を示す模式図である。
【図２４】本発明装置の動作を説明するためのフローチャートである。
【図２５】本発明装置の動作を説明するためのフローチャートである。
【符号の説明】
【０１０６】
１７  グラフィックコントローラ
１８  システム制御部
１９  案内手順テーブル
１７０  ＯＳＤ用データメモリ
２０  モニタ
３０  リモートコントロール装置
３０Ｉ  リモートコントロール装置の画像
【図１】
2007208559.tif 000003
【図２】
2007208559.tif 000004
【図３】
2007208559.tif 000005
【図４】
2007208559.tif 000006
【図５】
2007208559.tif 000007
【図６】
2007208559.tif 000008
【図７】
2007208559.tif 000009
【図８】
2007208559.tif 000010
【図９】
2007208559.tif 000011
【図１０】
2007208559.tif 000012
【図１１】
2007208559.tif 000013
【図１２】
2007208559.tif 000014
【図１３】
2007208559.tif 000015
【図１４】
2007208559.tif 000016
【図１５】
2007208559.tif 000017
【図１６】
2007208559.tif 000018
【図１７】
2007208559.tif 000019
【図１８】
2007208559.tif 000020
【図１９】
2007208559.tif 000021
【図２０】
2007208559.tif 000022
【図２１】
2007208559.tif 000023
【図２２】
2007208559.tif 000024
【図２３】
2007208559.tif 000025
【図２４】
2007208559.tif 000026
【図２５】
2007208559.tif 000027